(57)【要約】      （修正有）【課題】より効率的に処理を行う紙葉類処理装置、及び紙葉類処理方法を提供する。【解決手段】紙葉類処理装置は、画像取得部、特徴量抽出部、標準パターン記憶部、選択部、類似度算出部、比較部、判定部および制御部を備える。画像取得部は紙葉類から画像を取得し、特徴量抽出部は取得した画像から特徴量を抽出する。標準パターン記憶部は券種毎の標準パターンを異なる汚損度毎に記憶する。選択部は１つの標準パターン群を選択し、類似度算出部は選択された標準パターンと、特徴量抽出部により抽出した特徴量と、に基づいて類似度を算出し、比較部は算出された類似度と予め設定される閾値とを比較し、判定部は比較結果基づいて紙葉類の券種を判定する。制御部は類似度が閾値未満である場合、まだ選択されていない１つの標準パターン群を選択するように前記選択部を制御する。【選択図】図４
2012064039.tif 000002
【特許請求の範囲】
【請求項１】
紙葉類の券種を判定する紙葉類処理装置であって、
前記紙葉類から画像を取得する画像取得部と、
前記画像取得部により取得する画像から特徴量を抽出する特徴量抽出部と、
券種毎の標準パターンを有する標準パターン群を異なる汚損度毎に予め記憶する標準パターン記憶部と、
前記標準パターン記憶部に記憶されている複数の標準パターン群のうち、１つの標準パターン群を選択する選択部と、
前記選択部により選択される標準パターン群が有する少なくとも１つの標準パターンと、前記特徴量抽出部により抽出した特徴量と、に基づいて類似度を算出する類似度算出部と、
前記類似度算出部により算出される類似度と予め設定される閾値とを比較する比較部と、
前記比較部による比較結果において、類似度が閾値以上である場合、前記紙葉類の券種を判定する判定部と、
前記比較部による比較結果において、類似度が閾値未満である場合、前記標準パターン記憶部に記憶されている複数の標準パターン群のうち、まだ選択されていない１つの標準パターン群を選択するように前記選択部を制御する制御部と、
を具備する紙葉類処理装置。
【請求項２】
前記類似度算出部は、前記選択部により選択される標準パターン群が有する複数の標準パターンと、前記特徴量抽出部により抽出した特徴量と、に基づいて類似度を算出し、
前記比較部は、前記類似度算出部により各標準パターンごとに算出される類似度の最大類似度を特定し、特定された最大類似度と予め設定される閾値とを比較し、
前記判定部は、前記比較部による比較結果において、最大類似度が閾値以上である場合、前記紙葉類の券種を判定し、
前記制御部は、前記比較部による比較結果において、最大類似度が閾値未満である場合、前記標準パターン記憶部に記憶されている複数の標準パターン群のうち、まだ選択されていない１つの標準パターン群を選択するように前記選択部を制御する、
請求項１に記載の紙葉類処理装置。
【請求項３】
前記制御部は、前記標準パターン記憶部に記憶されている複数の標準パターン群のうち、最も汚損度が低く、且つ、まだ選択されていない１つの標準パターン群を選択するように前記選択部を制御する、
請求項２に記載の紙葉類処理装置。
【請求項４】
前記標準パターン記憶部は、標準パターン群毎に閾値を予め記憶し、
前記比較部は、前記類似度算出部により各標準パターンごとに算出される類似度の最大類似度を特定し、特定された最大類似度と前記標準パターン記憶部により記憶されている閾値とを比較する、
請求項３に記載の紙葉類処理装置。
【請求項５】
前記制御部は、まだ選択されていない標準パターン群が存在しない場合、前記紙葉類が排除券であると判定する、
請求項３に記載の紙葉類処理装置。
【請求項６】
前記標準パターン記憶部に記憶されている標準パターン群が有する各標準パターンに基づいて仮想標準パターン群を生成する標準パターン生成部をさらに具備し、
前記制御部は、まだ選択されていない標準パターン群が存在しない場合、前記標準パターン生成部により生成される仮想標準パターン群を選択するように前記選択部を制御する、
請求項３に記載の紙葉類処理装置。
【請求項７】
前記標準パターン生成部は、前記類似度算出部により算出される類似度に基づいて重みパラメータを算出し、算出した重みパラメータと前記類似度の算出に用いられた標準パターン群が有する各標準パターンとに基づいて仮想標準パターン群を生成する、
請求項６に記載の紙葉類処理装置。
【請求項８】
前記標準パターン生成部は、予め記憶される重みパラメータと前記標準パターン記憶部に記憶されている標準パターン群が有する各標準パターンとに基づいて仮想標準パターン群を生成する、
請求項６に記載の紙葉類処理装置。
【請求項９】
前記紙葉類を搬送する搬送部と、
前記判定部による判定結果に基づいて、前記紙葉類を区分する区分処理部と、
をさらに具備する請求項２に記載の紙葉類処理装置。
【請求項１０】
紙葉類の券種を判定する紙葉類処理装置に用いられる紙葉類処理方法であって、
前記紙葉類から画像を取得し、
前記取得された画像から特徴量を抽出し、
券種毎の標準パターンを有する標準パターン群を異なる汚損度毎に予め記憶し、
前記予め記憶されている複数の標準パターン群のうち、１つの標準パターン群を選択し、
前記選択される標準パターン群が有する少なくとも１つの標準パターンと、前記抽出された特徴量と、に基づいて類似度を算出し、
算出される類似度と予め設定される閾値とを比較し、
前記比較結果において、類似度が閾値以上である場合、前記紙葉類の券種を判定し、
前記比較結果において、類似度が閾値未満である場合、前記予め記憶されている複数の標準パターン群のうち、まだ選択されていない１つの標準パターン群を選択するように制御する、
紙葉類処理方法。
【発明の詳細な説明】
【技術分野】
【０００１】
本発明の実施形態は、紙葉類処理装置、及び紙葉類処理方法に関する。
【背景技術】
【０００２】
従来、種々の紙葉類の検査を行う紙葉類処理装置が実用化されている。紙葉類処理装置は、紙葉類の画像を読み取る画像読取装置を有する。紙葉類処理装置は、投入部に投入された紙葉類を１枚ずつ取り込み、検査部に搬送する。
【０００３】
検査部は、紙葉類の特徴を検知する検知部を備える。検査部は、検知部により所定の方向に搬送される紙葉類から特徴量を検知する。例えば、検査部は、検知結果に基づいて紙葉類の券種（ｃａｔｅｇｏｒｙ）を判定する。また、例えば、検査部は、検知結果に基づいて紙葉類の搬送状態を判定する。また、例えば、検査部は、検知結果に基づいて紙葉類の真偽（ａｕｔｈｅｎｔｉｃａｔｉｏｎ）を判定する。また、例えば、検査部は、検知結果に基づいて紙葉類が再流通可能であるか否かを判定する。
【０００４】
検査部は、例えば、検査する紙葉類のカテゴリ毎に標準パターンを辞書として予め記憶する。検査部は、検知部の検知結果と、辞書の標準パターンとを比較し、比較結果に基づいて各種の判定を行う。
【０００５】
しかし、流通時に疲弊及び汚損（ｓｏｉｌ）などの原因により、紙葉類が有する特徴が変動する場合がある。紙葉類の特徴の変動に対応する為に、検査部は、カテゴリ毎に複数の標準パターンを辞書として備える場合がある。この場合、検査部は、辞書として記憶されている全ての標準パターンと検知部の検査結果とを比較する。この為、処理に時間がかかるという課題がある。
【先行技術文献】
【特許文献】
【０００６】
【特許文献１】特開２００３−２８８６２７号公報
【発明の概要】
【発明が解決しようとする課題】
【０００７】
そこで、より効率的に処理を行う紙葉類処理装置、及び紙葉類処理方法を提供することを目的とする。
【課題を解決するための手段】
【０００８】
一実施形態に係る紙葉類処理装置は、紙葉類の券種を判定する紙葉類処理装置であって、画像取得部と、特徴量抽出部と、標準パターン記憶部と、選択部と、類似度算出部と、比較部と、判定部と、制御部とを備える。画像取得部は、前記紙葉類から画像を取得する。特徴量抽出部は、前記画像取得部により取得する画像から特徴量を抽出する。標準パターン記憶部は、券種毎の標準パターンを有する標準パターン群を異なる汚損度毎に予め記憶する。選択部は、前記標準パターン記憶部に記憶されている複数の標準パターン群のうち、１つの標準パターン群を選択する。類似度算出部は、前記選択部により選択される標準パターン群が有する少なくとも１つの標準パターンと、前記特徴量抽出部により抽出した特徴量と、に基づいて類似度を算出する。比較部は、前記類似度算出部により算出される類似度と予め設定される閾値とを比較する。判定部は、前記比較部による比較結果において、類似度が閾値以上である場合、前記紙葉類の券種を判定する。制御部は、前記比較部による比較結果において、類似度が閾値未満である場合、前記標準パターン記憶部に記憶されている複数の標準パターン群のうち、まだ選択されていない１つの標準パターン群を選択するように前記選択部を制御する。
【図面の簡単な説明】
【０００９】
【図１】図１は、一実施形態に係る紙葉類処理装置の構成例について説明するための説明図である。
【図２】図２は、一実施形態に係る券種検知部の構成例について説明するための説明図である。
【図３】図３は、一実施形態に係る辞書の構成例について説明する為の説明図である。
【図４】図４は、一実施形態に係る紙葉類処理装置の動作について説明するための説明図である。
【図５】図５は、一実施形態に係る券種検知部の構成例について説明するための説明図である。
【図６】図６は、一実施形態に係る紙葉類処理装置の動作について説明するための説明図である。
【発明を実施するための形態】
【００１０】
以下、図面を参照しながら、一実施形態に係る紙葉類処理装置、及び紙葉類処理方法について詳細に説明する。
【００１１】
図１は、一実施形態に係る紙葉類処理装置１００の構成例について説明するための説明図である。  
紙葉類処理装置１００は、操作員の操作に基づいて、紙葉類Ｐの検査を行う。紙葉類処理装置１００は、検査を行った紙葉類Ｐを集積部により集積及び／又は施封する。
【００１２】
紙葉類処理装置１００は、供給部２、取り込み部３、搬送状態検知部４、検査部５、厚さ検知部６、集積部７、制御部８、排除券集積部９、及び搬送部４１を備える。さらに、紙葉類処理装置１００は、紙葉類Ｐの搬送先を切り替える為の第１のゲートＧ１及び第２のゲートＧ２を備える。
【００１３】
供給部２は、紙葉類処理装置１００に取り込む紙葉類Ｐをストックする。供給部２は、重ねられた状態の紙葉類Ｐをまとめて受け入れる装填口を備える。
【００１４】
取り込み部３は、分離ローラを備える。分離ローラは、供給部２の上端に設置される。供給部２に紙葉類Ｐが投入される場合、分離ローラは、投入された紙葉類Ｐの集積方向の上端に接する。分離ローラは、回転することにより、供給部２に装填される紙葉類Ｐを集積方向の上端から１枚ずつ紙葉類処理装置１００の内部に取り込む。
【００１５】
分離ローラは、たとえば、１回転するごとに１枚の紙葉類Ｐを取り込む。これにより、分離ローラは、紙葉類Ｐを一定の間隔で取り込む。分離ローラにより取り込まれた紙葉類Ｐは、搬送部４１に導入される。
【００１６】
搬送部４１は、紙葉類Ｐを紙葉類処理装置１００内の各部に搬送する搬送部である。搬送部４１は、図示しない搬送ベルト及び図示しない駆動プーリなどを備える。搬送部４１は、図示しない駆動モータにより駆動プーリを駆動する。搬送ベルトは、駆動プーリにより動作する。
【００１７】
搬送部４１は、取り込み部３の分離ローラにより取り込まれる紙葉類Ｐを搬送ベルトにより一定速度で搬送する。なお、搬送部４１において取り込み部３に近い側を上流側、逆側を下流側として説明する。
【００１８】
搬送状態検知部４は、搬送部４１により搬送される紙葉類Ｐの搬送状態を検知する。搬送状態検知部４は、搬送路上における紙葉類Ｐの位置、スキュー量、及びギャップなどを検知する。
【００１９】
例えば、搬送状態検知部４は、紙葉類Ｐの中心を特定し、特定した中心からのズレを計測することにより、搬送ズレを検知する。また、例えば、搬送状態検知部４は、紙葉類Ｐの搬送方向に対する傾きを計測することにより、スキュー量を検知する。また、例えば、搬送状態検知部４は、紙葉類Ｐの搬送方向における後端と、次に搬送される紙葉類Ｐの搬送方向における先端との距離を測定することにより、ギャップを検知する。
【００２０】
検査部５は、真偽検知部５１、正損検知部５２、及び券種検知部５３を備える。  
真偽検知部５１は、紙葉類Ｐが真券(ｌｅｇａｌ  ｓｈｅｅｔ)であるか、偽券(ｉｌｌｅｇａｌ  ｓｈｅｅｔ)であるかを検知する。真偽検知部５１は、例えば紙葉類Ｐの物理的特性（特徴）を検知する物理特性検知部、及び／または、磁気検知部などを備える。物理特性検知部は、例えば、紙葉類Ｐから蛍光特性、または赤外線特性などを検知する。磁気検知部は、例えば、紙葉類Ｐから磁気特性を検知する。真偽検知部５１は、物理特性検知部、及び／または磁気検知部における検知結果に基づいて紙葉類Ｐの真偽（ａｕｔｈｅｎｔｉｃａｔｉｏｎ）を判定する。
【００２１】
正損検知部５２は、紙葉類Ｐの正損（ｒｅｃｉｒｃｕｌａｔａｂｌｅ／ｕｎｒｅｃｉｒｃｕｌａｔａｂｌｅ）を検知する。即ち、正損検知部５２は、紙葉類Ｐが再流通可能（ｒｅｃｉｒｃｕｌａｔａｂｌｅ）な正券（ｆｉｔ  ｓｈｅｅｔ）であるか、再流通不可能（ｕｎｒｅｃｉｒｃｕｌａｔａｂｌｅ）な損券（ｕｎｆｉｔ  ｓｈｅｅｔ）であるかを検知する。例えば、正損検知部５２は、紙葉類Ｐの物理的特性を検知し、検知結果に基づいて、紙葉類Ｐの正損を判定する。なお、正損検知部５２は、真偽検知部５１により真券であると判定された紙葉類Ｐに対して正損を判定する。
【００２２】
券種検知部５３は、紙葉類Ｐの券種（ｃａｔｅｇｏｒｙ）を検知する。券種検知部５３は、紙葉類Ｐの両面から光学的特徴を検知する。また、券種検知部５３は、標準パターンを券種毎に記憶する辞書を備える。
【００２３】
券種検知部５３は、例えば、紙葉類Ｐに対して光を投光する照明部と、紙葉類Ｐの一方の面から画像を取得するセンサと、紙葉類Ｐの他方の面から画像を取得するセンサと、を備える。各センサは、それぞれ搬送部４１を挟んで互いに対向する位置に配置される。センサは、例えば、Ｃｈａｒｇｅ  Ｃｏｕｐｌｅｄ  Ｄｅｖｉｃｅ（ＣＣＤ）などの受光素子と、光学系とを備える。なお、センサは、紙葉類Ｐの一方の面から画像を取得する構成であってもよい。
【００２４】
券種検知部５３は、照明部により紙葉類Ｐに対して光を投光する。各センサは、紙葉類Ｐを透過する光、または、紙葉類Ｐの面で反射する光を光学系により受光する。光学系は、受光した光を受光素子に結像（ｉｍａｇｅ−ｆｏｒｍ）させる。受光素子は、結像される光に基づいて、電気信号（画像）を生成する。
【００２５】
券種検知部５３は、紙葉類Ｐから画像を取得する。券種検知部５３は、紙葉類Ｐから取得した画像に基づいて、特徴量（ｆｅａｔｕｒｅ  ｖａｌｕｅ）を抽出する。券種検知部５３は、抽出した特徴量と、辞書に記憶されている標準パターンとの類似度を算出する。券種検知部５３は、算出した類似度と、予め設定される閾値とに基づいて、紙葉類Ｐの券種を検知する。さらに、券種検知部５３は、紙葉類Ｐの表／裏、正向き／逆向きを検知する。なお、以下、紙葉類Ｐの表裏、及び正逆をまとめて券種と称する。
【００２６】
厚さ検知部６は、搬送部４１により搬送される紙葉類Ｐの厚さを検知する。厚さ検知部６は、紙葉類Ｐの厚さに基づいて、紙葉類Ｐが複数枚重なっている旨、及び紙葉類Ｐの折れなどを検知する。
【００２７】
集積部７は、紙葉類Ｐを検査部５により検知する券種毎に区分して集積する。集積部７は、正券集積部７１と損券集積部７２とを備える。正券集積部７１は、検査部５により真券であり、且つ正券であると判定された紙葉類Ｐを集積する。さらに、正券集積部７１は、集積した紙葉類Ｐの枚数が所定枚数に達する場合、紙葉類Ｐを所定枚数毎に施封する。損券集積部７２は、検査部５により真券であり、且つ損券であると判定された紙葉類Ｐを集積する。
【００２８】
制御部８は、紙葉類処理装置１００の各部の動作を統合的に制御する。制御部８は、主制御部８１、総合判定部８２、及び操作部８３などを備える。主制御部８１は、総合判定部８２による判定結果に基づいて、搬送部４１、第１のゲートＧ１、及び第２のゲートＧ２の動作を制御する。
【００２９】
総合判定部８２は、搬送状態検知部４、検査部５、及び厚さ検知部６の検知結果に基づいて、紙葉類Ｐの搬送先を総合的に判定する。
【００３０】
例えば、総合判定部８２は、真偽検知部５１により真券であると判定され、正損検知部５２により正券であると判定された紙葉類Ｐの搬送先を正券集積部７１に決定する。主制御部８１は、紙葉類Ｐを正券集積部７１に搬送するように第１のゲートＧ１及び第２のゲートＧ２を制御する。即ち、主制御部８１は、第１のゲートＧ１を反時計回りに回動し、第２のゲートＧ２を時計回りに回動するように制御する。
【００３１】
また、総合判定部８２は、真偽検知部５１により真券と判定され、正損検知部５２により損券であると判定された紙葉類Ｐの搬送先を損券集積部７２に決定する。主制御部８１は、紙葉類Ｐを損券集積部７２に搬送するように第１のゲートＧ１及び第２のゲートＧ２を制御する。即ち、主制御部８１は、第１のゲートＧ１を反時計回りに回動し、第２のゲートＧ２を反時計回りに回動するように制御する。
【００３２】
またさらに、総合判定部８２は、真偽検知部５１により偽券、または排除券と判定された紙葉類Ｐの搬送先を排除券集積部９に決定する。主制御部８１は、紙葉類Ｐを排除券集積部９に搬送するように第１のゲートＧ１を制御する。即ち、主制御部８１は、第１のゲートＧ１を時計回りに回動するように制御する。
【００３３】
またさらに、総合判定部８２は、厚さ検知部６により紙葉類Ｐが複数枚重なっている事、または、紙葉類Ｐの折れを検知する場合、紙葉類Ｐの搬送先を排除券集積部９に決定する。主制御部８１は、紙葉類Ｐを排除券集積部９に搬送するように第１のゲートＧ１を制御する。即ち、主制御部８１は、第１のゲートＧ１を時計回りに回動するように制御する。
【００３４】
操作部８３は、例えばキーボード、表示部と一体に形成されるタッチパネル、または操作者による操作に応じた操作信号を受け付ける入力部などを備える。操作部８３は、入力される操作に基づいて操作信号を生成する。操作部８３は、生成した操作信号を主制御部８１に入力する。主制御部８１は、入力される操作信号に基づいて、種々の処理を実現する為の制御信号を生成する。
【００３５】
排除券集積部９は、検査部５の真偽検知部５１により偽券と判定された紙葉類Ｐ、厚さ検知部６により複数枚重なっていると判定された紙葉類Ｐ、及び、厚さ検知部６により折れが存在すると判定された紙葉類Ｐを集積する。
【００３６】
図２は、図１に示す券種検知部の構成例について説明するための説明図である。  
券種検知部５３は、センサ５０１、データ記憶部５０２、特徴抽出部５０３、類似度演算部５０４、判定部５０５、及び標準パターン記憶部５０６を備える。また、券種検知部５３は、券種検知部５３の各部の動作を統合的に制御する図示しない制御部を備える。
【００３７】
センサ５０１は、上記したように、ＣＣＤなどの受光素子と、光学系とを備える。  券種検知部５３は、搬送部４１により矢印Ａの方向（搬送方向）に搬送される紙葉類Ｐに対して図示しない照明部により光を投光する。センサ５０１は、反射光または透過光を受光し、画像を取得する。センサ５０１は、取得した画像をデータ記憶部５０２に入力する。
【００３８】
データ記憶部５０２は、センサ５０１から入力される画像を一時的に記憶する。  
特徴抽出部５０３は、データ記憶部５０２に入力される画像データに基づいて紙葉類Ｐの特徴量を抽出する。データ記憶部５０２に入力される画像データは、例えば、二次元的に画素が配列された画像である。各画素は、濃淡値を有する。特徴抽出部５０３は、例えば、画像データの濃淡値に基づいて特徴量を抽出する。特徴抽出部５０３は、抽出した特徴量を類似度演算部５０４に伝送する。
【００３９】
なお、特徴抽出部５０３は、画像の濃淡値の微分値に基づいて特徴量を抽出する構成であってもよい。
【００４０】
類似度演算部５０４は、特徴抽出部５０３により抽出される特徴量と、標準パターン記憶部５０６に記憶されている標準パターンとの類似度を算出する。類似度演算部５０４は、例えば、単純類似度法、または複合類似度法などを用いることにより類似度を算出する。
【００４１】
標準パターン記憶部５０６は、券種毎に標準パターンを記憶する。なお、この券種毎の標準パターンを標準パターン群と称する。また、標準パターン群が備える標準パターンの種類は、すくなくとも１つ以上であればいくつであってもよい。標準パターン記憶部５０６は、この標準パターン群を異なる汚損度（ｓｏｉｌ  ｌｅｖｅｌ）毎に有する。
【００４２】
汚損度は、例えば、紙葉類Ｐの疲弊及び汚損の度合いを示すパラメータである。紙葉類Ｐの特徴量は、汚損度により変動する。本実施形態に係る紙葉類処理装置１００は、異なる汚損度毎に標準パターン群を備えることにより、疲弊及び汚損を持つ紙葉類Ｐに対して安定して処理を行うことができる。
【００４３】
本実施形態では、例えば、図３に示すように、標準パターン記憶部５０６は、発行時の紙葉類（新券）から生成される標準パターン群を第１の標準パターン群５０７として記憶する。また、標準パターン記憶部５０６は、正損検知部５２において正券と判定される紙葉類（流通券）から生成される標準パターン群を第２の標準パターン群５０８として記憶する。なお、標準パターン記憶部５０６が保持する標準パターン群の数は、如何なる数であってもよい。
【００４４】
標準パターン記憶部５０６は、汚損度ａ乃至ｎに対応する標準パターン群を備える。なお、各標準パターン群の汚損度は、ａ＜ｂ＜ｃ・・・＜ｎという関係を有する。また、各標準パターン群は、券種１乃至Ｎに対応する標準パターンを備える。
【００４５】
この場合、汚損度が「ａ」であり、券種が「１」である標準パターンを「ａ１」と称する。また、汚損度が「ａ」であり、券種が「２」である標準パターンを「ａ２」と称する。また、汚損度が「ｂ」であり、券種が「１」である標準パターンを「ｂ１」と称する。またさらに、汚損度が「ｎ」であり、券種が「Ｎ」である標準パターンを「ｎＮ」と称する。
【００４６】
この場合、汚損度が「ａ」であり、券種が「１」である標準パターンを「ａ１」と特徴抽出部５０３により抽出した特徴量との類似度を「Ｓａ１」とする。また、汚損度が「ａ」であり、券種が「２」である標準パターンを「ａ２」と特徴抽出部５０３により抽出した特徴量との類似度を「Ｓａ２」とする。また、汚損度が「ｂ」であり、券種が「１」である標準パターンを「ｂ１」と特徴抽出部５０３により抽出した特徴量との類似度を「Ｓｂ１」とする。またさらに、汚損度が「ｎ」であり、券種が「Ｎ」である標準パターンを「ｎＮ」と特徴抽出部５０３により抽出した特徴量との類似度を「ＳｎＮ」とする。
【００４７】
類似度演算部５０４は、まず、最も汚損度の低い標準パターン群を用いて類似度の演算を行う。即ち、券種検知部５３は、標準パターン記憶部５０６に記憶されている複数の標準パターン群のうち、最も汚損度が低く、且つ、まだ選択されていない１つの標準パターン群を選択するように類似度演算部５０４を制御する。この場合、券種検知部５３の制御部は、選択部として機能する。
【００４８】
図３に示す例では、第２の標準パターン群５０８より第１の標準パターン群５０７の方が汚損度が低い為、類似度演算部５０４は、第１の標準パターン群５０７を選択する。
【００４９】
類似度演算部５０４は、特徴抽出部５０３により抽出した特徴量と第１の標準パターン群５０７が有する各標準パターンａ１乃至ａＮと類似度を算出する。これにより、類似度演算部５０４は、類似度Ｓａ１乃至ＳａＮを算出する。さらに類似度演算部５０４は、類似度Ｓａ１乃至ＳａＮのうちの最大の類似度を特定する。類似度演算部５０４は、特定した最大類似度を判定部５０５に伝送する。
【００５０】
判定部５０５は、類似度演算部５０４から伝送される最大類似度と、予め標準パターン記憶部５０６に記憶される閾値とを比較する。この為に、標準パターン記憶部５０６は、各標準パターン群毎に閾値を予め記憶する。
【００５１】
例えば、第１の標準パターン群５０７は、さらに第１の閾値Ｔ１を有する。また、第２の標準パターン群５０８は、さらに第２の閾値Ｔ２を有する。また、Ｎ番目の標準パターン群は、閾値ＳＮを有する。
【００５２】
判定部５０５は、類似度演算部５０４から伝送される最大類似度と、第１の閾値Ｔ１とを比較する。即ち、判定部５０５は、類似度演算部５０４から伝送される最大類似度と、この類似度の算出に用いられた標準パターン群が有する閾値とを比較する。
【００５３】
類似度演算部５０４から伝送される最大類似度が第１の閾値Ｔ１以上である場合、判定部５０５は、紙葉類Ｐの券種の判定を行う。この場合、判定部５０５は、最大類似度の算出に用いられた標準パターンの券種が紙葉類Ｐの券種に対応すると判定する。この結果、判定部５０５は、紙葉類Ｐの券種を特定することが出来る。判定部５０５は、紙葉類Ｐの券種を示す判定結果を制御部８の総合判定部８２に伝送する。
【００５４】
また、類似度演算部５０４から伝送される最大類似度が第１の閾値Ｔ１未満である場合、判定部５０５は、次の標準パターン群を用いる処理に移行する。判定部５０５は、次に汚損度の低い標準パターン群を用いて類似度の演算を行うように類似度演算部５０４を制御する。
【００５５】
類似度演算部５０４は、特徴抽出部５０３により抽出した特徴量と第２の標準パターン群５０８が有する各標準パターンｂ１乃至ｂＮと類似度を算出する。これにより、類似度演算部５０４は、類似度Ｓｂ１乃至ＳｂＮを算出する。さらに類似度演算部５０４は、類似度Ｓｂ１乃至ＳｂＮのうちの最大の類似度を特定する。類似度演算部５０４は、特定した最大類似度を判定部５０５に伝送する。
【００５６】
判定部５０５は、類似度演算部５０４から伝送される最大類似度と、第２の閾値Ｔ２とを比較する。
【００５７】
類似度演算部５０４から伝送される最大類似度が第２の閾値Ｔ２以上である場合、判定部５０５は、紙葉類Ｐの券種の判定を行う。判定部５０５は、紙葉類Ｐの券種を示す判定結果を制御部８の総合判定部８２に伝送する。
【００５８】
また、類似度演算部５０４から伝送される最大類似度が第２の閾値Ｔ２未満である場合、判定部５０５は、紙葉類Ｐを排除券であると判定する。即ち、類似度演算部５０４から伝送される最大類似度が第２の閾値Ｔ２未満であり、且つ、標準パターン記憶部５０６にさらに標準パターン群が記憶されていない場合、判定部５０５は、紙葉類Ｐを排除券であると判定する。この場合、判定部５０５は、紙葉類Ｐが排除券である旨を示す判定結果を制御部８の総合判定部８２に伝送する。
【００５９】
総合判定部８２は、各検知部から伝送される検知結果に基づいて、紙葉類Ｐの搬送先を総合的に判定する。主制御部８１は、総合判定部８２により判定される搬送先に紙葉類Ｐを搬送するように第１のゲートＧ１及び第２のゲートＧ２を制御する。
【００６０】
なお、上記の例では、標準パターン記憶部５０６に汚損度の異なる第１の標準パターン群５０７と第２の標準パターン群５０８とが記憶されている構成について説明したが、この構成に限定されない。標準パターン記憶部５０６に記憶される標準パターン群の数は、少なくとも２以上であれば如何なる数であってもよい。
【００６１】
図４は、図１に示す紙葉類処理装置１００の券種検知部５３の動作について説明するための説明図である。  
券種検知部５３は、図１に示す搬送状態検知部４、または図示しない位置検出センサを用いて紙葉類Ｐの搬送位置を認識する（ステップＳ１１）。搬送状態検知部４、または位置検出センサの検知位置に紙葉類Ｐが存在しない場合の検出信号と、紙葉類Ｐが存在する場合の検出信号とのレベル差に基づいて、紙葉類Ｐの搬送位置を認識する。
【００６２】
券種検知部５３は、図２に示すセンサ５０１の検出位置に紙葉類Ｐが到達したと判断する場合、センサ５０１により紙葉類Ｐから画像を取得する（ステップＳ１２）。
【００６３】
券種検知部５３は、特徴抽出部５０３により特徴量を抽出する対象領域を特定する（ステップＳ１３）。特徴抽出部５０３は、例えば、紙葉類Ｐの輪郭をセンサ５０１により取得した画像に基づいて特定する。特徴抽出部５０３は、特定した輪郭により囲まれる紙葉類領域の重心を特定する。
【００６４】
例えば、特徴抽出部５０３は、特定した紙葉類領域の重心を基準として、紙葉類領域の全面を対象領域として設定する。また、例えば、特徴抽出部５０３は、紙葉類領域を複数のブロックに分割し、分割された複数のブロックのうちの任意のブロックを対象領域として設定する。
【００６５】
券種検知部５３は、センサ５０１により取得した画像と、設定された対象領域とに基づいて、特徴量を抽出する（ステップＳ１４）。即ち、券種検知部５３は、センサ５０１により取得した画像上の対象領域の画像を抽出する。券種検知部５３は、抽出した画像の濃淡値、濃淡値の微分値、または他の値に基づいて特徴量を抽出する。
【００６６】
券種検知部５３は、特徴抽出部５０３により抽出される特徴量と、標準パターン記憶部５０６に記憶されている標準パターンとの類似度を算出する（ステップＳ１５）。ここで、券種検知部５３は、標準パターン記憶部５０６に記憶されている標準パターン群のうちで最も汚損度の低い標準パターン群を選択する。本実施形態では、券種検知部５３は、第１の標準パターン群５０７を選択する。券種検知部５３は、第１の標準パターン群５０７が有する各標準パターンと特徴抽出部５０３により抽出される特徴量との類似度を算出する。
【００６７】
さらに、券種検知部５３は、算出した類似度に基づいて、最大類似度を特定する。券種検知部５３は、選択した第１の標準パターン群５０７が有する閾値Ｔ１と、特定した最大類似度とを比較する。即ち、券種検知部５３は、最大類似度が閾値Ｔ１以上であるか否か判定する（ステップＳ１６）。
【００６８】
最大類似度が閾値Ｔ１以上である場合、券種検知部５３は、紙葉類Ｐの券種の判定を行う（ステップＳ１７）。即ち、券種検知部５３は、最大類似度の算出に用いられた標準パターンの券種が紙葉類Ｐの券種に対応すると判定する。
【００６９】
また、最大類似度が閾値Ｔ１未満である場合、券種検知部５３は、次に汚損度の低い標準パターン群を用いて類似度の演算を行う（ステップＳ１８）。ここで、券種検知部５３は、第１の標準パターン群５０７の次に汚損度の低い第２の標準パターン群５０８を選択する。券種検知部５３は、選択した第２の標準パターン群５０８が有する各標準パターンと特徴抽出部５０３により抽出される特徴量との類似度を算出する。
【００７０】
さらに、券種検知部５３は、算出した類似度に基づいて、最大類似度を特定する。券種検知部５３は、選択した第２の標準パターン群５０８が有する閾値Ｔ２と、特定した最大類似度とを比較する。即ち、券種検知部５３は、最大類似度が閾値Ｔ２以上であるか否か判定する（ステップＳ１９）。
【００７１】
最大類似度が閾値Ｔ２以上である場合、券種検知部５３は、紙葉類Ｐの券種の判定を行う（ステップＳ２０）。即ち、券種検知部５３は、最大類似度の算出に用いられた標準パターンの券種が紙葉類Ｐの券種に対応すると判定する。
【００７２】
また、最大類似度が閾値Ｔ２未満である場合、券種検知部５３は、紙葉類Ｐを排除券であると判定する（ステップＳ２１）。
【００７３】
また、最大類似度が閾値Ｔ２未満であり、且つ、標準パターン群が標準パターン記憶部５０６にさらに記憶されている場合、券種検知部５３は、ステップＳ１８に移行する。即ち、券種検知部５３は、次に汚損度の低い標準パターン群を選択し、選択した標準パターン群が有する情報に基づいて、ステップＳ１８及びステップＳ１９の処理を行う。
【００７４】
上記したように、本実施形態に係る紙葉類処理装置１００は、券種検知部５３を備える。券種検知部５３は、標準パターン群を異なる汚損度ごとに有する。各標準パターン群は、券種毎の標準パターンと、閾値とを有する。券種検知部５３は、汚損度の低い標準パターン群を優先して使用して類似度を算出する。券種検知部５３は、算出した類似度が閾値以上である場合、紙葉類Ｐの券種の判定を行う。
【００７５】
これにより、券種検知部５３は、閾値以上の類似度を算出する場合、他の標準パターン群を用いる処理行うことなく紙葉類Ｐの券種を判定することができる。また、汚損度の低い標準パターン群を優先して用いる為、券種検知部５３は、識別性能を改善し、且つ、処理時間を抑えることができる。この結果、より効率的に処理を行う紙葉類処理装置、及び紙葉類処理方法を提供することができる。
【００７６】
なお、上記した実施形態では、券種検知部５３は、標準パターン記憶部５０６に記憶されている標準パターンを用いて処理を行う構成として説明したが、この構成に限定されない。券種検知部５３は、標準パターンを生成し、生成した標準パターンを用いて処理を行う構成であってもよい。
【００７７】
図５は、図１に示す券種検知部５３の他の構成例について説明するための説明図である。なお、図２に示す構成と同じ構成には、同じ参照符号を付し、詳細な説明を省略する。  
券種検知部５３は、標準パターン生成部５０９をさらに備える。標準パターン生成部５０９は、標準パターン記憶部５０６に記憶されている標準パターンに基づいて、新たに標準パターン（仮想標準パターン）を生成する。
【００７８】
図６は、図５に示す紙葉類処理装置１００の券種検知部５３の動作について説明するための説明図である。  
券種検知部５３は、紙葉類Ｐの搬送位置を認識する（ステップＳ３１）。券種検知部５３は、図５に示すセンサ５０１の検出位置に紙葉類Ｐが到達したと判断する場合、センサ５０１により紙葉類Ｐから画像を取得する（ステップＳ３２）。
【００７９】
券種検知部５３は、特徴抽出部５０３により特徴量を抽出する対象領域を特定する（ステップＳ３３）。券種検知部５３は、センサ５０１により取得した画像と、特定した対象領域とに基づいて、特徴量を抽出する（ステップＳ３４）。
【００８０】
券種検知部５３は、特徴抽出部５０３により抽出される特徴量と、標準パターン記憶部５０６に記憶されている標準パターンとの類似度を算出する（ステップＳ３５）。ここで、券種検知部５３は、標準パターン記憶部５０６に記憶されている標準パターン群のうちで最も汚損度の低い標準パターン群を選択する。本実施形態では、券種検知部５３は、第１の標準パターン群５０７を選択する。券種検知部５３は、第１の標準パターン群５０７が有する各標準パターンと特徴抽出部５０３により抽出される特徴量との類似度を類似度演算部５０４により算出する。
【００８１】
さらに、券種検知部５３は、算出した類似度に基づいて、最大類似度を特定する。券種検知部５３は、選択した第１の標準パターン群５０７が有する閾値Ｔ１と、特定した最大類似度とを比較する。即ち、券種検知部５３は、最大類似度が閾値Ｔ１以上であるか否か判定する（ステップＳ３６）。
【００８２】
最大類似度が閾値Ｔ１以上である場合、券種検知部５３は、紙葉類Ｐの券種の判定を行う（ステップＳ３７）。即ち、券種検知部５３は、最大類似度の算出に用いられた標準パターンの券種が紙葉類Ｐの券種に対応すると判定する。
【００８３】
また、最大類似度が閾値Ｔ１未満である場合、券種検知部５３は、次に汚損度の低い標準パターン群を用いて類似度の演算を行う（ステップＳ３８）。ここで、券種検知部５３は、第１の標準パターン群５０７の次に汚損度の低い第２の標準パターン群５０８を選択する。券種検知部５３は、選択した第２の標準パターン群５０８が有する各標準パターンと特徴抽出部５０３により抽出される特徴量との類似度を類似度演算部５０４により算出する。
【００８４】
さらに、券種検知部５３は、算出した類似度に基づいて、最大類似度を特定する。券種検知部５３は、選択した第２の標準パターン群５０８が有する閾値Ｔ２と、特定した最大類似度とを比較する。即ち、券種検知部５３は、最大類似度が閾値Ｔ２以上であるか否か判定する（ステップＳ３９）。
【００８５】
最大類似度が閾値Ｔ２以上である場合、券種検知部５３は、紙葉類Ｐの券種の判定を行う（ステップＳ４０）。即ち、券種検知部５３は、最大類似度の算出に用いられた標準パターンの券種が紙葉類Ｐの券種に対応すると判定する。
【００８６】
また、最大類似度が閾値Ｔ２未満である場合、券種検知部５３は、仮想標準パターンを生成する（ステップ４１）。標準パターン生成部５０９は、標準パターン記憶部５０６に記憶されている標準パターンに基づいて、仮想標準パターンを生成する。
【００８７】
標準パターン生成部５０９は、類似度演算部５０４により算出する類似度に基づいて、重みパラメータを算出する。標準パターン生成部５０９は算出した重みパラメータと標準パターン記憶部５０６に記憶されている標準パターンとに基づいて、仮想標準パターンを生成する。
【００８８】
汚損度がｎである標準パターン群の重みパラメータをＷｎとし、この標準パターン群が有する各標準パターンと特徴量との類似度をＳｎとする。この場合、標準パターン生成部５０９は、
【数１】
2012064039.tif 000003
【００８９】
に基づいて重みパラメータＷｎを算出する。
【００９０】
また、仮想標準パターンをｒ´とし、ある汚損度ｎに対応する標準パターン群の有する各標準パターンをｒｎとする。この場合、標準パターン生成部５０９は、
【数２】
2012064039.tif 000004
【００９１】
に基づいて仮想標準パターンを算出する。
【００９２】
標準パターン生成部５０９は、上記の処理を各券種に対応する標準パターンに基づいて行うことにより、仮想標準パターン群を生成する。標準パターン生成部５０９は、生成した仮想標準パターン群を類似度演算部５０４に伝送する。また、標準パターン生成部５０９は、予め設定される閾値を有する。
【００９３】
類似度演算部５０４は、標準パターン生成部５０９から伝送される仮想標準パターン群の各仮想標準パターンと特徴抽出部５０３により抽出される特徴量との類似度を算出する。さらに、類似度演算部５０４は、算出した類似度に基づいて、最大類似度を特定する。類似度演算部５０４は、特定した最大類似度を判定部５０５に伝送する。
【００９４】
判定部５０５は、類似度演算部５０４から伝送される最大類似度と、標準パターン生成部５０９が有する閾値と、を比較する。
【００９５】
最大類似度が、標準パターン生成部５０９が有する閾値以上である場合、判定部５０５は、紙葉類Ｐの券種の判定を行う。即ち、判定部５０５は、最大類似度の算出に用いられた仮想標準パターンの券種が紙葉類Ｐの券種に対応すると判定する。
【００９６】
また、最大類似度が、標準パターン生成部５０９が有する閾値未満である場合、判定部５０５は、次の仮想標準パターンを生成するように標準パターン生成部５０９を制御する。券種検知部５３は、新たに仮想標準パターンを生成し、類似度の算出を行う。
【００９７】
上記したように、本実施形態に係る紙葉類処理装置１００は、券種検知部５３を備える。券種検知部５３は、標準パターン群を異なる汚損度ごとに有する。各標準パターン群は、券種毎の標準パターンと、閾値とを有する。券種検知部５３は、類似度の演算結果と、類似度の演算に用いた標準パターンとに基づいて、仮想標準パターンを生成する。券種検知部５３は、生成した仮想標準パターンと特徴量とに基づいて類似度を算出する。券種検知部５３は、算出した類似度が予め設定される閾値以上である場合、紙葉類Ｐの券種の判定を行う。
【００９８】
これにより、券種検知部５３は、標準パターン記憶部５０６に記憶されている標準パターンのバリエーションが少ない場合でも、仮想標準パターンを生成することができる。この結果、券種検知部５３は、適切な標準パターンを用いて紙葉類Ｐの券種の検知を行うことができる。この結果、より効率的に処理を行う紙葉類処理装置、及び紙葉類処理方法を提供することができる。
【００９９】
なお、券種検知部５３は、新たに生成した仮想標準パターンを標準パターン記憶部５０６に格納する構成であってもよい。また、この場合、券種検知部５３は、正損検知部５２により検知する汚損度を用いて、仮想標準パターンを汚損度毎に標準パターン記憶部５０６に格納する構成であってもよい。
【０１００】
また、上記した実施形態では、券種検知部５３は、重みパラメータを逐次算出する構成として説明したが、この構成に限定されない。券種検知部５３は、標準パターン生成部５０９が重みパラメータの組み合わせを予め保持する構成であってもよい。
【０１０１】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１０２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１０３】
１…券種、２…供給部、３…取り込み部、４…搬送状態検知部、５…検査部、６…検知部、７…集積部、８…制御部、９…排除券集積部、４１…搬送部、５１…真偽検知部、５２…正損検知部、５３…券種検知部、７１…正券集積部、７２…損券集積部、８１…主制御部、８２…総合判定部、８３…操作部、１００…紙葉類処理装置、５０１…センサ、５０２…データ記憶部、５０３…特徴抽出部、５０４…類似度演算部、５０５…判定部、５０６…標準パターン記憶部、５０９…標準パターン生成部。
【図１】
2012064039.tif 000005
【図２】
2012064039.tif 000006
【図３】
2012064039.tif 000007
【図４】
2012064039.tif 000008
【図５】
2012064039.tif 000009
【図６】
2012064039.tif 000010